(57)【要約】【課題】床面へ載置する載置物（自動車用シート）を、床面における所望の位置に自由に移動させて、固定可能とする。【解決手段】載置物の固定・移動具３０は、第１の磁石体２２と第２の磁石体２４を用いて、載置物を床面２０に載置したり、床面２０を移動可能とする。第１の磁石体２２と第２の磁石体２４は、円柱形状の支持部材３２に相対移動可能に嵌め合わされており、両磁石体２２，２４の磁極の組合せを変更することにより、第２の磁石体２４を鉄板の床面２０に接する第１位置状態として、載置物を固定状態とする。また、第２の磁石体２４を床面２０から離反する第２位置状態として、支持部材３２の下部の転動体４０により移動可能状態とする。【選択図】図２
2018134972.tif 000002
【特許請求の範囲】
【請求項１】
床面へ載置する載置物を、床面に載置したり、床面を移動可能とする、磁石を用いた載置物の固定・移動具であって、
前記載置物と床面との間に配設され、載置物を床面に対して支持する支持部材を備え、
前記支持部材における床面と接する側の部位には載置物を移動可能とする転動体を備え、
前記支持部材の上下方向の軸線方向には，該支持部材に関連して第１の磁石体と第２の磁石体が前記軸線方向に相対移動可能に配設されていると共に，該両磁石体のＮ極とＳ極の組合せが変更可能に配設されており、
前記両磁石体のＮ極とＳ極の組合せの変更は該両磁石体の一方の位置を変更する位置変更手段により行われるようになっており、
前記支持部材の前記軸線方向で見て、前記第１の磁石体は載置物側の上側に配設されていると共に、前記支持部材に対して前記軸線方向には一体的関係として配設されており、前記第２の磁石体は床面側の下側に配設されていると共に、前記支持部材に対して前記軸線方向には移動可能とされて、前記床面に接する第１位置と前記第１の磁石体に接する第２位置との間を移動可能に配設されており、
前記両磁石体の磁極の組み合わせの変更により、前記第２の磁石体は前記第１位置において床面と接触して載置物を床面に固定状態とする固定位置と、前記第２位置において前記転動体により載置物を移動可能とする移動位置をとる、載置物の固定・移動具。
【請求項２】
請求項１に記載の載置物の固定・移動具であって、
前記床面は鉄板等の磁性体で形成されている載置物の固定・移動具。
【請求項３】
請求項１又は請求項２に記載の載置物の固定・移動具であって、
前記支持部材は円柱状部材であり、前記第１の磁石体と第２の磁石体は前記円柱状部材に嵌め合わされる輪状部材である、載置物の固定・移動具。
【請求項４】
請求項１から請求項３のいずれかの請求項に記載の載置物の固定・移動具であって、
前記第１の磁石体及び前記第２の磁石体の床面との設置面を除いた当該第２の磁石体を包囲する箱形状のケース体を備え、該ケース体は前記第２の磁石体と一体的とされていると共に、該ケース体の下面が前記第２の磁石体の下面と同時に前記床面と接する配設とされている、載置物の固定・移動具。
【請求項５】
請求項１から請求項４のいずれかの請求項に記載の載置物の固定・移動具であって、
前記載置物は乗物用シートである載置物の固定・移動具。
【発明の詳細な説明】
【技術分野】
【０００１】
本発明は、載置物の固定・移動具に関する。特に、自動車等車両の床面（フロア）に設置するシートを、床面に対して移動させたり、固定させたりすることのできる、シートの固定・移動具に関する。
【背景技術】
【０００２】
自動車等車両の車室内の床面（フロア）には、乗員のためのシートが備えられる。当該シートの設置位置は床面に対して、予め定められたシート軌道レールが敷設された範囲で移動可能とされている。
【０００３】
また、車両の床面を格子状に形成して、その格子状に形成された穴に、シートの脚部の突起を係合させることにより、シートの設置位置の自由度を高める提案もある（下記特許文献１参照）。
【先行技術文献】
【特許文献】
【０００４】
【特許文献１】特開平４−２８７７６０号公報
【特許文献２】特許第４２１５７０２号公報
【発明の概要】
【発明が解決しようとする課題】
【０００５】
しかしながら、上述したシートの床面に対する設置位置は、床面に設定されたシートの取付け位置に規制されており、床面の任意の位置に設置することはできなかったという不便さがある。このような不便さの問題は、自動車等車両の床面に対するシートの設置ばかりでなく、平面な床面に対して載置物を載置する場合にも同様な問題がある。
【０００６】
而して、本発明は、上記の問題を解決するために創案されたものであって、本発明が解決しようとする課題は、床面へ載置する載置物を、床面における所望の位置に自由に移動させて、固定可能とすることにある。
【課題を解決するための手段】
【０００７】
上記課題を解決するために、本発明に係る載置物の固定・移動具は次の手段をとる。
【０００８】
先ず、本発明の第１の本発明は、床面へ載置する載置物を、床面に載置したり、床面を移動可能とする、磁石を用いた載置物の固定・移動具であって、前記載置物と床面との間に配設され、載置物を床面に対して支持する支持部材を備え、前記支持部材における床面と接する側の部位には載置物を移動可能とする転動体を備え、前記支持部材の上下方向の軸線方向には，該支持部材に関連して第１の磁石体と第２の磁石体が前記軸線方向に相対移動可能に配設されていると共に，該両磁石体のＮ極とＳ極の組合せが変更可能に配設されており、前記両磁石体のＮ極とＳ極の組合せの変更は該両磁石体の一方の位置を変更する位置変更手段により行われるようになっており、前記支持部材の前記軸線方向で見て、前記第１の磁石体は載置物側の上側に配設されていると共に、前記支持部材に対して前記軸線方向には一体的関係として配設されており、前記第２の磁石体は床面側の下側に配設されていると共に、前記支持部材に対して前記軸線方向には移動可能とされて、前記床面に接する第１位置と前記第１の磁石体に接する第２位置との間を移動可能に配設されており、前記両磁石体の磁極の組み合わせの変更により、前記第２の磁石体は前記第１位置において床面と接触して載置物を床面に固定状態とする固定位置と、前記第２位置において前記転動体により載置物を移動可能とする移動位置をとる、載置物の固定移動具である。
【０００９】
上記第１の発明によれば、第１の磁石体と第２の磁石体のＮ極とＳ極の組合せは、位置変更手段により変更される。そして、同極の組合せとすることにより第１の磁石体と第２の磁石体は反発状態となり、支持部材に対して下側位置に配設されている第２の磁石体は床面と接する第１位置となる。これにより、第２の磁石体は固定位置となり、床面と接触して載置物を床面に固定状態とする。
【００１０】
逆に、両磁石体のＮ極とＳ極の組合せを異極の組合せとすることにより、第１の磁石体と第２の磁石体は引付け合い状態となり、第２の磁石体は上側位置に配設される第１磁石体に引付けられて、床面から離れた第２位置となる。これにより、第２の磁石体は移動位置となり、支持部材に備えられた転動体により載置物を移動可能とする。この移動は、床面上を自由に移動することが可能とされており、載置物を所望の位置に移動させて、所望の方向に向けて固定することができる。
【００１１】
次に、本発明の第２の発明は、前述の第１の発明の載置物の固定・移動具において、前記床面は鉄板等の磁性体で形成されている載置物の固定・移動具である。
【００１２】
上記第２の発明によれば、床面が鉄板等の磁性体で形成される。これにより、第２の磁石体が床面に接する第１位置にあっては、第２の磁石体のＮ極とＳ極間の磁場の形成が磁性体の床面を経由して形成される。このため、第２の磁石体は磁石作用により床面に強固にくっ付く。その結果、載置物は床面により強固に固定される。
【００１３】
次に、本発明の第３の発明は、前述の第１の発明又は第２の発明の載置物の固定・移動具において、前記支持部材は円柱状部材であり、前記第１の磁石体と第２の磁石体は前記円柱状部材に嵌め合わされる輪状部材である、載置物の固定・移動具である。
【００１４】
上記第３の発明によれば、第１磁石体及び第２磁石体は輪状部材で形成され、円柱状部材の支持部材に嵌め合せて構成されるものであるので、当該載置物の固定・移動具を小型（コンパクト）に構成することができる。
【００１５】
次に、本発明の第４の発明は、前述の第１の発明から第３の発明のいずれかの発明の載置物の固定・移動具において、前記第１の磁石体及び前記第２の磁石体の床面との設置面を除いた第２の磁石体を包囲する箱形状のケース体を備え、該ケース体は前記第２の磁石体と一体的とされていると共に、該ケース体の下面が前記第２の磁石体の下面と同時に前記床面と接する配設とされている、載置物の固定・移動具である。
【００１６】
上記第４の発明によれば、第１の磁石体及び第２の磁石体は箱形状のケース体内に収容して配設される。これにより、当該載置物の固定・移動具をまとまりよく構成することができる。また、第４の発明によれば、ケース体の下面が第２の磁石体の下面と同時に床面に接する構成とされている。これにより、第２の磁石体の第１位置において、床面と接触して載置物を床面に固定状態とする作用が、ケース体の下面によっても行われるので、その固定状態がより安定して行われる。
【００１７】
次に、本発明の第５の発明は、前述の第１の発明から第４の発明のいずれかの発明の載置物の固定・移動具において、前記載置物は乗物用シートである載置物の固定・移動具である。
【００１８】
上記第５の発明によれば、乗物の室内に設置するシートの設置を、室内の所望の位置において所望の方向に向けて自由に設置することができる。
【発明の効果】
【００１９】
本発明は上述した手段とすることにより、床面へ載置する載置物を、床面における所望の位置に自由に移動させて、固定可能とすることができる。
【図面の簡単な説明】
【００２０】
【図１】乗物用シートの配置構成の実施形態を示す概略図である。
【図２】載置物の固定・移動具の第１実施形態の断面図を示し、載置物の床面への固定状態を示す図である。
【図３】図２に示す第１実施形態おいて、載置物が床面を移動する移動状態を示す図である。
【図４】第１実施形態における第１の磁石体及び第２の磁石体を示す斜視図である。
【図５】載置物の固定・移動具の第２実施形態を示す断面図である。
【図６】第２実施形態の載置物の固定・移動具を斜め上方から見た配置図である。
【発明を実施するための形態】
【００２１】
本発明の実施形態を、図面を用いて、以下に説明する。本実施形態は、本発明における載置物がシートであり、当該シートが乗物、より具体的には自動車等車両の車室内に載置して設置される構成の場合である。
【００２２】
図１は自動車用シートの概略構成を示す。自動車用シート１０（以下、単に「シート」と称することもある）は、シートクッション１２と、シートバック１４と、ヘッドレスト１６とから成る。シートクッション１２は乗員の着座部位である。シートバック１４は乗員の背凭れ部位である。ヘッドレスト１６は乗員の頭部を支持する部位である。
【００２３】
自動車用シート１０は、シートクッション１２の下部に備えられる脚部１８により自動車の車室内の床面２０に設置される。脚部１８はシートクッション１２の骨格を形成するフレーム部材（不図示）と組み合わされて配設される。その脚部１８の下部に載置物の固定・移動具３０が備えられる。この載置物の固定・移動具３０により、シート１０が床面２０上を移動したり、床面２０に固定されたりする。
【００２４】
なお、本実施形態における床面２０は、鉄板で構成されている。これは、床面を鉄板等の磁性体で形成することにより、後述する載置物の固定・移動具３０に用いられる磁石の磁石効果を発揮させるためである。以下に、載置物の固定・移動具３０の各実施形態を説明する。
【００２５】
〔第１実施形態〕
載置物の固定・移動具３０の第１実施形態は、図２及び図３に示される。図２及び図３に示される載置物の固定・移動具３０は、前述もしたように図１に示す自動車用シート１０の下部に備えられる脚部１８の下端に備えられる。すなわち、脚部１８の下端と床面２０との間に配設される。なお、図２は載置物の固定・移動具３０による床面２０へのシート１０の固定状態を示しており、図３はシート１０を床面２０上を移動可能とする移動状態を示している。
【００２６】
図２及び図３に示すように、載置物の固定・移動具３０は、支持部材３２、第１の磁石体２２、第２の磁石体２４、ケース体３８、転動体４０、回動操作部材３４、等から構成される。支持部材３２は前述の自動車用シート１０の脚部１８の下端と、床面２０との間に配設されており、シート１０を床面に対して支持する。
【００２７】
支持部材３２は、本実施形態では円柱状部材で形成されており、図２及び図３で見て、その下端に転動体４０が装着されている。本実施形態では、転動体４０は球形状とされており、支持部材３２が床面２０に対して全方位（３６０°方向）に自由に移動可能となっている。したがって、転動体４０は球形状に限らず、全方位に移動可能な手段構成であれば、その他の構成であってもよい。例えば、３６０°方向に移動可能なキャスタ等であってもよい。
【００２８】
円柱状部材の支持部材３２の、図２及び図３で見て、上端と、脚部１８の下端との間には、ベアリング部材４４が配設されている。これにより、支持部材３２と脚部１８とは軸回転方向に相対回転可能とされている。具体的には、支持部材３２は自動車用シート１０に固定状態とされる脚部１８に対して軸回転方向に回転可能とされている。
【００２９】
第１の磁石体２２と第２の磁石体２４は、図４に示すように永久磁石として構成される。すなわち、中央に嵌合孔２６を形成した厚みを有する円板形状とされている。そして、円板形状の半分がＮ磁極とされ、半分がＳ磁極とされている。嵌合孔２６の孔径の大きさは、第１の磁石体２２と第２の磁石体２４が円柱形状の支持部材３２に嵌合できる大きさとされている。
【００３０】
図２及び図３に示される、第１の磁石体２２と第２の磁石体２４は、円柱形状の支持部材３２に嵌め合されて配設される。支持部材３２の上下方向の軸線Ｘで見て、第１の磁石体２２は上側に配設されており、第２の磁石体２４は下側に配設されている。この配設関係は、第１の磁石体２２は載置物であるシート１０側に配設され、第２の磁石体２４は床面２０側に配設されている。
【００３１】
第１の磁石体２２は、図２に示す支持部材３２との位置関係において、第１の磁石体２２と支持部材３２とは一体的関係として固定されている。すなわち、支持部材３２の軸回転方向、及び支持部材３２の軸線Ｘ方向に対して一体的状態とされている。この両者の一体化手段は、圧入固定、溶着等の公知の手段で行うことができる。
【００３２】
第２の磁石体２４は、支持部材３２の上下方向の軸線Ｘ方向に移動可能に、支持部材３２に嵌め合されている。その軸線Ｘ方向への移動可能範囲は、図２に示す第２の磁石体２４の下面が床面に接する第１位置と、図３に示す第２の磁石体２４の上面が第１の磁石体２２の下面と接する第２位置との間である。
【００３３】
また、第１の磁石体２２と第２の磁石体２４は、ケース体３８に収容された形態として配設されている。ケース体３８は、上下に配設された第１の磁石体２２と第２の磁石体２４を収容可能な箱形状とされている。箱形状のケース体３８は、第２の磁石体２４が床面２０と接する側（設置面側）が開口状態として形成されている。
【００３４】
ケース体３８の側面部位３８Ａと第２の磁石体２４とは、その側面部位３８Ａの内周面と第２の磁石体２４の外周面とが一体的状態とされており、両者３８、２４は軸線Ｘ方向にも、軸回転方向にも一体的とされている。これにより、両者３８、２４は図２に示す第１位置と図３に示す第２位置の間を一体的に移動する。このため、箱形状のケース体３８の上面部位３８Ｂにおける支持部材３２の挿通孔２８は、ルーズ嵌合となっており、ケース体３８と支持部材３２は互いに自由に移動可能とされている。なお、図２及び図３における構成部材関係において、一体的関係にある部材間には×印で示し、理解を容易とした。
【００３５】
支持部材３２の上下方向の上端部位置には、第１の磁石体２２の位置を変更する位置変更手段である回動操作部材３４が備えられている。回動操作部材３４を回動操作することにより、支持部材３２及び該支持部材３２と一体的関係にある第１の磁石体２２が回動し、第２の磁石体２４との磁極関係を変更する。
【００３６】
次に、上述した第１の実施形態の作用を説明する。
【００３７】
先ず、回動操作部材３４の操作により、第１の磁石体２２と第２の磁石体２４との磁極の関係が、図２に示すように、同じ磁極の配置関係にあると、第１の磁石体２２と第２の磁石体２４は反発し合う。その結果、第２の磁石体２４と該第２の磁石体２４と一体的関係にあるケース体３８は、床面２０に当接する位置まで軸線Ｘ方向を下降移動する。この第２の磁石体２４の位置が、本発明における第１位置である。
【００３８】
図２に示す第２の磁石体２４の下面２４ａ及びケース体３８の下面３８ａが床面２０と当接した第１位置では、当該当接面２４ａ，３８ａにおいて摩擦力が生じ、床面２０に自動車用シート１０が固定される固定位置となる。特に、本実施形態における床面２０との当接面は、第２磁石体２４の下面２４ａと、ケース体３８の側面部位３８Ａの下面３８ａとの二面により広い面とされているので、安定した固定状態とされる。
【００３９】
更に、本実施形態では、床面２０が鉄板の磁性体で形成されていることにより、第２の磁石体２４におけるＮ極からＳ極への磁界が床面２０の鉄板を通じて生じる。これにより、第２の磁石体２４と鉄板の床面２０とは磁石作用による引付け合い作用が生じる。この作用により、載置物のシート１０はより一層強固に床面２０に固定される。
【００４０】
次に、回動操作部材３４の操作により、第１の磁石体２２と第２の磁石体２４との磁極の関係が、図３に示すように、異なる磁極の配置関係になると、第１の磁石体２２と第２の磁石体２４は磁石作用により引付け合う。その結果、第２の磁石体２４は、上方位置で支持部材３２と一体的とされた第１の磁石体２２方向に引き寄せられ、第１の磁石体２２と接する位置となる。すなわち、第２の磁石体２４及び当該第２の磁石体２４と一体的関係にあるケース体３８は、床面２０から離反して、軸線Ｘ方向を上方に移動した位置となる。この第２の磁石体２４の位置が、本発明における第２位置である。
【００４１】
図３に示す第２の磁石体２４及びケース体３８が床面２０から離反した状態、すなわち、第２の磁石体２４が第１の磁石体２２に接する第２位置では、床面２０には支持部材３２の転動体４０のみが当接した状態となる。この状態では、転動体４０が床面２０上を全方位に自由に転動可能な移動状態である。その結果、本実施形態では、載置物であるシート１０は、自動車の車室内の所望の位置に移動させて、所望の方向に向けて設置することができる。
【００４２】
なお、図３に示す第２の磁石体２４が第２位置の場合には、第２の磁石体２４は床面２０から離反した状態にある。この状態では、第１の磁石体２２と第２の磁石体２４の組合せは異なる磁極の組合せとなっている。この状態での磁界は、図３に示すように床面２０に対して平行となる。そのため、床面２０が磁性体の場合、床面２０との間に生じる磁石作用による引き寄せ合う引力は弱い、この結果、移動作用に影響を及ぼすことは殆どなく、転動体４０によるスムースな移動に対して障害となることがない。
【００４３】
なお、本第１実施形態によれば、第１の磁石体２２及び第２の磁石体２４は嵌合孔２６を有する円板形状で、円柱形状の支持部材３２に重ねられた形態で嵌め合わされている。そして、箱形状のケース体３８内に収容して配設されている。これにより、当該載置物の固定・移動具３０をまとまりよく、小型化して構成することができる。
【００４４】
また、本第１実施形態の載置物は自動車用シート１０であるので、自動車用シート１０を車室内に快適な状態として設置することができる。
【００４５】
〔第２実施形態〕
第２実施形態は、図５及び図６に示される。第２実施形態において、前述した第１実施形態における構成要素と対応する構成要素には、同じ符号を付することにより、説明を省略することがある。
【００４６】
第２実施形態の載置物の固定・移動具３２は基盤５０を備えており、基盤５０の下に円柱形状の支持部材３２が配設されている。支持部材３２の下部には、第１実施形態と同様に、転動体４０を備える。これにより、本実施形態では、自動車用シート１０の脚部１８は、基盤５０、支持部材３２、転動体４０を介して床面２０に支持される。
【００４７】
基盤５０は、図６に良く示されるように、略四角形の板状部材で形成されており、四角形の四隅の位置に円柱形状の支持部材３２が、４本配設されている。当該４本の支持部材３２により形成される中央部位置に、第１の磁石体２２と第２の磁石体２４が配設されている。
【００４８】
図５に良く示されるように、第１の磁石体２２と第２の磁石体２４の配置関係は、第１実施形態と同様の配置とされている。すなわち、第１の磁石体２２は上側位置に配置されており、支持部材３２と軸線Ｘ方向及び回転方向にも一体的関係として配設されている。第２の磁石体２４は軸線Ｘ方向に移動可能に配設されており、床面２０に接する第１位置（図５の実線位置）と、第１の磁石体２２に接する第２位置（図５の仮想線位置）との間を移動可能とされている。
【００４９】
第２の磁石体２４の上面には回転軸５２が一体的に取付けられており、回転軸５２は第１の磁石体２２の中央部に明けられた貫通孔４８を貫通して、第１の磁石体２２の上方位置まで延設して配設されている。この回転軸５２には回転筒軸５４が嵌合する。回転軸５２と回転筒軸５４との嵌合はスプライン嵌合とされており、両者５２，５４は回転方向には一体的に回転するが、軸方向には相対移動可能とされている。
【００５０】
基盤５０の下面には、回転駆動手段５６が設置されている。例えば、小型の電動モータ等である。この回転駆動手段５６により、第２の磁石体２４を回転筒軸５４、回転軸５２を介して回転させる。そして、第１の磁石体２２と第２の磁石体２４との磁極の組合せを変更して、第２の磁石体２４の位置を第１位置としたり、第２位置とする。このため、第２実施形態では、回転駆動手段５６が本発明の位置変更手段に相当する。
【００５１】
上述した第２実施形態の場合も、前述した第１実施形態の場合と同様の作用にて、載置物の固定・移動具３０により、自動車用シート１０を車室内の任意の位置に移動させて、所定の向きとして固定することができる。すなわち、第２の磁石体２４が床面２０に接する第１位置で、自動車用シート１０を床面２０に固定する。また、第２の磁石体２４が第１の磁石体２２に接する第２位置で、自動車用シート１０は転動体４０により床面２０を自由に移動する。
【００５２】
なお、上述した第２実施形態によれば、自動車用シート１０の脚部１個に対して、４本の支持部材３２を配設する構成であるため、シート１０をしっかりと床面２０に対して支持させることができる。
【００５３】
以上、本発明の実施形態を説明したが、本発明は上記実施形態のほか各種の形態で実施することができる。
【００５４】
例えば、上記実施形態では載置物が自動車用シートの場合について説明したが、自動用シートに限らず、車両等の乗物用シートであってもよい。また、乗物用シートに限らず家具等であってもよい。
【００５５】
また、上記実施形態では、第１の磁石体２２及び第２の磁石体２４は、永久磁石の場合であったが、電磁石としてもよい。しかし、永久磁石の場合は、装置を小型化することができるメリットがある。
【００５６】
また、上記実施形態における床面は鉄板等の磁性体で形成されているが、磁性体でない床面であっても、載置物の固定作用と、移動作用を行うことができる。
【符号の説明】
【００５７】
１０    自動車用シート（載置物）
１２    シートクッション
１４    シートバック
１６    ヘッドレスト
１８    脚部
２０    床面
２２    第１の磁石体
２４    第２の磁石体
２６    嵌合孔
２８    挿通孔
３０    載置物の固定・移動具
３２    支持部材
３４    回動操作部材（位置変更手段）
３８    ケース体
４０    転動体
４４    ベアリング部材
４８    貫通孔
５０    基盤
５２    回転軸
５４    回転筒軸
５６    回転駆動手段（位置変更手段）
【図１】
2018134972.tif 000003
【図２】
2018134972.tif 000004
【図３】
2018134972.tif 000005
【図４】
2018134972.tif 000006
【図５】
2018134972.tif 000007
【図６】
2018134972.tif 000008